(57)【要約】  【課題】  ヘリカルアンテナ素子を用いて近傍電磁界による無線伝送を行うことを可能にする。  【解決手段】  アンテナ装置１１は、ヘリカルアンテナ素子１２と、ヘリカルアンテナ素子１２の外周を覆う円筒状のシールド導体１３とを備えている。二つのアンテナ装置１１は、ヘリカルアンテナ素子１２の開放端同士が向かい合わせになるように近接配置されている。ヘリカルアンテナ素子１２の電気長は、使用周波数の波長λに対してλ／４の長さを有している。シールド導体１３はヘリカルアンテナ素子１２の外周及び給電点１４側の端面を導体面で覆い、かつヘリカルアンテナ素子１２の開放端側に開口１３ａを有している。シールド導体１３の中心軸はヘリカルアンテナ素子１２の中心軸と一致している。【選択図】  図２
2006287324.tif 000002
【特許請求の範囲】
【請求項１】
ヘリカルアンテナ素子と、前記ヘリカルアンテナ素子の外周を覆う筒状のシールド導体とを備え、
前記シールド導体は、前記ヘリカルアンテナ素子の開放端側に開口を有しかつ給電側に導体面を有し、その中心軸が前記ヘリカルアンテナ素子の中心軸と一致していることを特徴とするアンテナ装置。
【請求項２】
使用周波数の波長λに対して、前記ヘリカルアンテナ素子の電気長がλ／４であることを特徴とする請求項１に記載のアンテナ装置。
【請求項３】
前記ヘリカルアンテナ素子の長さ（ｂ）と前記ヘリカルアンテナ素子の外径（ｄ）との関係が、０．８＜（ｂ／ｄ）＜１．５であることを特徴とする請求項１又は２に記載のアンテナ装置。
【請求項４】
前記シールド導体の長さ（Ｈ）及び前記ヘリカルアンテナ素子の外径（ｄ）との関係が、１．１＜（Ｈ／ｄ）＜１．７であることを特徴とする請求項１乃至３のいずれか１項に記載のアンテナ装置。
【請求項５】
前記シールド導体の外径（Ｄ）及び前記ヘリカルアンテナ素子の外径（ｄ）との関係が、０．５＜（ｄ／Ｄ）＜０．６５であることを特徴とする請求項１乃至４のいずれか１項に記載のアンテナ装置。
【請求項６】
請求項１乃至５のいずれか１項に記載の前記アンテナ装置を用いて構成され、前記ヘリカルアンテナ素子の前記開放端同士が互いに向かい合わせになるように一対の前記アンテナ装置を非接触状態で配置したことを特徴とする高周波結合装置。
【請求項７】
前記ヘリカルアンテナ素子間の距離が１０ｃｍ以内であることを特徴する請求項６に記載の高周波結合装置。
【請求項８】
前記一対のアンテナ装置のヘリカルアンテナ素子の中心軸が互いにほぼ一致していることを特徴とする請求項６又は７に記載の高周波結合装置。
【発明の詳細な説明】
【技術分野】
【０００１】
本発明は、アンテナ装置及び高周波結合装置に関し、特に、数ミリメートルから数十センチメートルまでの至近距離通信に好適なアンテナ装置及びこれを用いた高周波結合装置に関するものである。
【背景技術】
【０００２】
近年、無線伝送技術としては多種多様なものが存在しているが、中でも、数センチメートルから数十メートル程度の近距離で無線によりデータ伝送する技術としては無線ＬＡＮがよく知られている。また、数センチメートルよりも近い距離または間隙程度の距離を無線によりデータ伝送する技術として、「無線タグ」や「ＲＦＩＤ」等の無線カードも普及している。無線カード通信の場合、主として誘導界である近傍電磁界による無線伝送を利用している。近傍電磁界による無線伝送では、アンテナコイル等の閉回路を誘導電磁界内に置き、これによって誘起される電圧を閉回路の開放端、すなわち出力端子から取り出すことで受信信号を検出している。
【０００３】
他にも、電磁誘導結合による双方向データ通信を良好に行うことが可能な非接触近距離通信装置が知られている（特許文献１，２参照）。この装置は、例えばワンボックスカーのスライドドア内部に設けられたパワーウィンドウモータやドアロックユニットを車体側のワイヤハーネスに接続するための手段として使用されるものであり、電磁結合を利用して非接触で電力及びデータを伝送する技術である。
【特許文献１】特開２００４−４２８７９号公報
【特許文献２】特開２００４−１３５２４５号公報
【発明の開示】
【発明が解決しようとする課題】
【０００４】
ところで、無線通信に用いられるアンテナのひとつとしてヘリカルアンテナが知られている。このヘリカルアンテナは、使用周波数の波長λに対してλ／２又はλ／４の長さを有する導線をらせん状に形成したものであり、非常に小型でありながら特性の良好なアンテナとして携帯無線機器等で広く使用されている。
【０００５】
しかしながら、このような従来のヘリカルアンテナを近傍電磁界による無線伝送にそのまま適用しようとすると、入力インピーダンスの低下を生じるという問題がある。また、一般にアンテナはその形状を問わず周囲の物体や構造物の影響を受けやすく、これにより伝送特性等の電気特性が変動しやすい。そのため図１１のように、近傍電子界の無線伝送に適用すべくヘリカルアンテナ２１同士を近接させた場合には、素子間の相互結合の影響によりアンテナ特性が劣化するという問題がある。図１２はヘリカルアンテナの通過特性を示すグラフである。特性の良好なヘリカルアンテナ単体の特性は、図１２（ａ）に示すようにアンテナの使用周波数である５００ＭＨｚから６００ＭＨｚまでの通過帯域内において唯一の共振点を有し、伝送損失も非常に少ないが、そのようなヘリカルアンテナ同士を近づけた場合の特性は、図１２（ｂ）に示すように、副共振が生じることによって通過特性が双峰性となり、通過帯域内において伝送損失が急激に落ち込んでいることが分かる。
【０００６】
したがって、本発明の目的は、ヘリカルアンテナ素子を用いて近傍電磁界による無線伝送を行うことを可能にするアンテナ装置及びこれを用いた高周波結合装置を提供することにある。
【課題を解決するための手段】
【０００７】
本発明の上記目的は、ヘリカルアンテナ素子と、前記ヘリカルアンテナ素子の外周を覆う筒状のシールド導体とを備え、前記シールド導体は、前記ヘリカルアンテナ素子の開放端側に開口を有しかつ給電側に導体面を有し、その中心軸が前記ヘリカルアンテナ素子の中心軸と一致していることを特徴とするアンテナ装置によって達成される。
【０００８】
本発明においては、使用周波数の波長λに対して、前記ヘリカルアンテナ素子の電気長がλ／４であることが好ましい。
【０００９】
本発明においては、前記ヘリカルアンテナ素子の長さ（ｂ）と前記ヘリカルアンテナ素子の外径（ｄ）との関係が、０．８＜（ｂ／ｄ）＜１．５であることを特徴とする０００１又は２に記載のアンテナ装置。
【００１０】
本発明においては、前記シールド導体の長さ（Ｈ）及び前記ヘリカルアンテナ素子の外径（ｄ）との関係が、１．１＜（Ｈ／ｄ）＜１．７であることが好ましい。
【００１１】
本発明においては、前記シールド導体の外径（Ｄ）及び前記ヘリカルアンテナ素子の外径（ｄ）との関係が、０．５＜（ｄ／Ｄ）＜０．６５であることが好ましい。
【００１２】
本発明の上記目的は、前記アンテナ装置を用いて構成され、前記ヘリカルアンテナ素子の前記開放端同士が互いに向かい合わせになるように一対の前記アンテナ装置を非接触状態で配置したことを特徴とする高周波結合装置によっても達成される。
【００１３】
前記ヘリカルアンテナ素子間の距離が１０ｃｍ以内であることが好ましく、また前記一対のアンテナ装置のヘリカルアンテナ素子の中心軸が互いにほぼ一致していることが好ましい。
【発明の効果】
【００１４】
本発明によれば、ヘリカルアンテナ素子を用いて近傍電磁界による無線伝送を行うことを可能にするアンテナ装置及びこれを用いた高周波結合装置を提供することができる。
【発明を実施するための最良の形態】
【００１５】
以下、添付図面を参照しながら、本発明の好ましい実施の形態について詳細に説明する。
【００１６】
図１は、本発明の好ましい実施形態に係る高周波結合装置の構成を示す斜視図である。
【００１７】
図１に示すように、この高周波結合装置１０は、一対のアンテナ装置１１，１１からなり、無線通信機器１，１間の至近距離通信に使用されるものである。これらのアンテナ装置１１間の距離は、近傍電磁界を利用した通信である限りにおいて特に限定されないが、１０ｃｍ以内であることが好ましく、１ｃｍ以内であることがより好ましい。「一対の」アンテナ装置１１，１１としたのは、別のアンテナ装置と組み合わせで使用するよりも、同一のアンテナ装置１１同士を組み合わせて使用したほうが特性上より好ましいことによるものである。本実施形態のアンテナ装置１１は、無線通信機器１，１の筐体面からわずかに突出した状態で設けられており、高周波導波路２，２を通じて筐体内部の電子回路（図示せず）に接続される。
【００１８】
図２は、一対のアンテナ装置１１の構成を透過的に示す略斜視図である。
【００１９】
図２に示すように、各アンテナ装置１１は、ヘリカルアンテナ素子１２と、ヘリカルアンテナ素子１２の外周を覆う円筒状のシールド導体１３とを備えている。二つのアンテナ装置１１は、ヘリカルアンテナ素子１２の開放端同士が向かい合わせになるように近接配置されている。ここで、上述した一対のアンテナ装置１１間の距離とは、厳密には、ヘリカルアンテナ素子１２間の距離（ｇ）を意味している。両者の中心軸は一致していることが好ましいが、完全に一致していなくてもよく、僅かなずれや傾きであれば伝送特性にそれほど大きな影響はない。すなわち、二つのヘリカルアンテナ素子１２，１２の中心軸はほぼ一致していればよい。
【００２０】
アンテナ装置１１の基本的な電気特性はヘリカルアンテナ素子１２の構成に依存する。本実施形態においては、ヘリカルアンテナ素子１２の電気長が使用周波数（すなわち、アンテナ素子の共振周波数）の波長λに対してλ／４の長さを有している。本発明でいう電気長は、ヘリカルアンテナ素子１２を構成する導線の全長（物理長）ではなく、ヘリカルアンテナ素子の物理長にそのアンテナ素子が持つ「速度係数（短縮率）」を乗じた値として求められるものである。すなわち、電気長はアンテナ素子のインダクタンスを考慮した計算上の長さであって、らせん状の導線固有のインダクタンスが増すに連れ、実際の長さよりも長くなる。また、給電部付近には給電部との接続のための直線状の導線部分も存在している。本実施形態において、給電部付近の導線は、らせん形状の終端から中心軸に引き込まれた後、中心軸を通って給電点１４に接続される形状となっている。なお、らせん形状の終端から中心軸に引き込むことなく直ちに中心軸に沿った方向に折り曲げて給電点１４に接続することも可能である。
【００２１】
シールド導体１３は、ヘリカルアンテナ素子１２の外周及び給電点１４側の端面を導体面で覆い、かつヘリカルアンテナ素子１２の開放端側に開口１３ａを有している。シールド導体１３の中心軸はヘリカルアンテナ素子１２の中心軸と一致している。シールド導体１３とヘリカルアンテナ素子１２との間では絶縁状態が確保されており、シールド導体１３は接地されている。シールド導体１３の寸法はヘリカルアンテナ素子１２に基づいて定められる。すなわち、まずはヘリカルアンテナ素子１２自身が使用周波数において良好な共振特性を有する必要があるため、ヘリカルアンテナ素子の寸法が最初に決定され、次いでシールド導体の寸法が決定される。
【００２２】
ヘリカルアンテナ素子１２及びシールド導体１３の寸法については以下のように定めることができる。
【００２３】
図３は、シールド導体の開口１３ａ側から見たアンテナ装置１１の平面図であり、図４はアンテナ装置１１の側面断面図である。
【００２４】
図３及び図４に示すように、シールド導体１３の長さを（Ｈ）、シールド導体１３の外径を（Ｄ）、ヘリカルアンテナ素子１２の長さを（ｂ）、ヘリカルアンテナ素子１２の外径を（ｄ）とそれぞれ定義し、さらに図２に示したとおり、ヘリカルアンテナ素子１２，１２間の間隔を（ｇ）とする。そして、アンテナ装置１１の特性が最も良くなる以下の寸法を標準パラメータとして定義する。
ヘリカルアンテナ素子の長さ（ｂ）＝５ｍｍ（０．００９２λ）
ヘリカルアンテナ素子の外径（ｄ）＝５ｍｍ
ヘリカルアンテナ素子のリード端子の長さ（Ｌ１）＝２．５ｍｍ（０．００４６λ）
シールド導体の長さ（Ｈ）＝７．５ｍｍ
シールド導体の外径（Ｄ）＝９ｍｍ（０．０１６５λ）
ヘリカルアンテナ素子間の間隔（ｇ）＝２ｍｍ（０．００３６６λ）
【００２５】
そして、本実施形態のアンテナ装置においては、ヘリカルアンテナ素子の長さ（ｂ）及びヘリカルアンテナ素子の外径（ｄ）が、０．８＜（ｂ／ｄ）＜１．５の関係を有することが好ましい。一般に、アンテナの伝送帯域（使用周波数帯域）は、伝送損失が最小となる値から３ｄＢだけ増加する周波数範囲として定義されるが、ヘリカルアンテナ素子の長さ（ｂ）とヘリカルアンテナ素子の外径（ｄ）がこの関係を満たしていれば、伝送損失を３ｄＢ以下に抑えることができる。すなわち、アンテナ装置の伝送特性を使用周波数帯域内に収めることができる。
【００２６】
また、本実施形態のアンテナ装置においては、シールド導体の長さ（Ｈ）及びヘリカルアンテナ素子の外径（ｄ）が、１．１＜（Ｈ／ｄ）＜１．７の関係を有することが好ましい。シールド導体の長さ（Ｈ）とヘリカルアンテナ素子の外径（ｄ）がこの関係を満たしていれば、やはり伝送損失を３ｄＢ以下に抑えることができ、良好なアンテナ特性を得ることができる。
【００２７】
また、本実施形態のアンテナ装置においては、シールド導体の外径（Ｄ）及びヘリカルアンテナ素子の外径（ｄ）が、０．５＜（ｄ／Ｄ）＜０．６５の関係を有することが好ましい。シールド導体の外径（Ｄ）とヘリカルアンテナ素子の外径（ｄ）がこの関係を満たしていれば、やはり伝送損失を３ｄＢ以下に抑えることができ、良好なアンテナ特性を得ることができる。
【００２８】
以上のように、アンテナ素子をヘリカル構造とした場合には、使用周波数の波長に比べてアンテナ装置１１全体の大きさを十分に小型化することが可能である。例えば、使用周波数が５００〜６００ＭＨｚ（波長は６００〜５００ミリメートル）である場合、ヘリカルアンテナ素子１２の長さは、その直径やピッチにもよるが、通常は数ミリメートル程度となるので、波長の１／２０程度の大きさにすることが可能である。
【００２９】
このようにアンテナ素子の寸法が共振周波数の波長λに比べて十分に小さい場合には、アンテナ素子の入力インピーダンスが小さくなり、さらに小型化していくと入力インピーダンスは短絡状態に近づくことが知られている。しかし、図２に示したように二つのヘリカルアンテナ素子を対向させることにより、両者は近傍電磁界で電磁的に結合され、全体として高周波の伝送路が形成される。この場合、アンテナ素子全体の電気長はλ／２程度となり、アンテナ素子の両端が開放端となるので、いずれか一方のアンテナ装置１１の入（出）力端から見た当該アンテナ装置１１の入力インピーダンスは、アンテナ素子が孤立して置かれる場合に比べてより高くなる。図５はアンテナ装置１１同士を近接配置した場合における当該アンテナ装置１１の入力インピーダンスの周波数特性を示すスミスチャートであるが、図５から明らかなように、アンテナ素子の共振周波数付近における入力インピーダンスは５０オームに近い値となる。これは、電気回路の特性インピーダンスである５０オームに近いことから、実用上好ましい特性であるといえる。
【００３０】
また本実施形態によれば、ヘリカルアンテナ素子１２の外周及び給電側の端面を覆うシールド導体１３を設けているので、相手側のアンテナ装置を含め、ヘリカルアンテナ素子１２の周囲に存在する物体等の影響を受けにくく、アンテナ素子同士を近接させても通過帯域近傍の周波数において副共振等が現れにくい。したがって、特性の良好なアンテナ装置及びこれを用いた高周波結合装置を実現することができる。
【００３１】
本発明は、以上の実施形態に限定されることなく、本発明の趣旨を逸脱しない範囲内で種々の変更を加えることが可能であり、それらも本発明に包含されるものであることは言うまでもない。
【００３２】
たとえば、上記実施形態においては、シールド導体１３として円筒状のものを用いたが、本発明はこれに限定されるものではなく、例えば図６に示すように、角筒状のシールド導体１５で構成してもよい。この場合にも円筒状のものとほぼ同等の特性を得ることができる。
【実施例】
【００３３】
上述したアンテナ装置について、各種パラメータを変更しながら、アンテナ装置間の伝送損失の周波数特性を測定した。図７乃至１０は、各種パラメータを変化させたときの伝送損失の周波数特性を示すグラフであり、横軸は周波数（ＭＨｚ）、伝送損失（ｄＢ）を示している。伝送損失は、一方のアンテナ装置に所定の周波数の信号を印加したときに他方のアンテナ装置で受信される信号のレベルの低下の程度を示すものであり、アンテナ装置間の信号の通過特性を示すものである。また横軸の周波数については使用周波数を基準にして正規化したものを示している。
【００３４】
図７は二つのアンテナ装置の間隔ｇを変化させたときの伝送損失の周波数特性を示すグラフである。この測定では、一対のアンテナ装置の間隔ｇについて、ｇ＝１．０ｍｍ，１．５ｍｍ，２．０ｍｍ，４．０ｍｍ，４．５ｍｍ及び６．０ｍｍの６通りを測定対象とした。他のパラメータについては標準パラメータに固定し、Ｄ＝９ｍｍ，Ｈ＝７．５ｍｍ，ｄ＝５ｍｍ，ｂ＝５ｍｍとした。さらに、ヘリカルアンテナ素子の先端部（開放端）の端面とシールド導体の開口面とを一致させるようにした。
【００３５】
図７から明らかなとおり、アンテナ装置の間隔ｇが１．０ｍｍときには通過特性が双峰性を有し、１．０ｍｍから大きくなると双峰性は徐々に改善され、ｇ＝２．０ｍｍのときに通過特性は最も良好となるが、間隔ｇがさらに大きくなると伝送損失（ｄＢ）は増大している。すなわち、この測定から、ｇ＝２．０ｍｍのときに通過特性が最も良好であることが分かった。
【００３６】
図８は、ヘリカルアンテナ素子の直径ｄに対するその長さｂの比（ｂ／ｄ）を変化させたときの伝送損失の周波数特性を示すグラフである。この測定では、アンテナ直径ｄと長さｂとの比（ｂ／ｄ）について、（ｂ／ｄ）＝０．５，０．７，０．８，０．９，１．０，１．５，２．０及び３．０の８通りを測定対象とした。また、シールド導体の長さ（Ｈ）についてはＨ＝ｂとした。すなわち、ヘリカルアンテナ素子の長さｂに応じてシールド導体の長さＨを伸縮させ、ヘリカルアンテナ素子の先端部（開放端）の端面とシールド導体の開口面とを一致させるようにした。他のパラメータについては標準パラメータに固定し、ｇ＝２ｍｍ，Ｄ＝９ｍｍとした。
【００３７】
図８から明らかなとおり、（ｂ／ｄ）が０．５のときには通過特性が双峰性を有し、０．５から大きくなると双峰性は徐々に改善され、（ｂ／ｄ）が１．０のときに通過特性が最も良好となるが（ｂ／ｄ）がさらに大きくなると伝送損失（ｄＢ）は増大している。すなわち、この測定結果から、（ｂ／ｄ）が１．０ｍｍのときの伝送損失のピーク値を基準とし、そこから＋３ｄＢの範囲（すなわちアンテナの使用周波数帯域）をカバーできる（ｂ／ｄ）の値は、０．８＜（ｂ／ｄ）＜１．５の場合であることが分かった。
【００３８】
図９は、ヘリカルアンテナ素子の直径ｄに対するシールド導体の長さＨの比（Ｈ／ｄ）を変化させたときの伝送損失の周波数特性を示すグラフである。この測定では、アンテナ直径ｄとシールド導体の長さＨとの比（Ｈ／ｄ）について、（Ｈ／ｄ）＝０（シールド導体なし），０．９，１．１，１．３，１．４，１．５，１．６及び１．７の８通りを測定対象とした。他のパラメータについては標準パラメータに固定し、ｇ＝２ｍｍ，Ｄ＝９ｍｍ，ｂ＝５．０ｍｍとした。なお、ヘリカルアンテナ素子の直径ｄを変化させつつその長さｂを一定にするため、巻き線のピッチは可変としている。
【００３９】
図９から明らかなとおり、（Ｈ／ｄ）が０ときには通過特性が極端な双峰性を有し、０から大きくなると双峰性は徐々に改善され、（Ｈ／ｄ）が１．７のときに通過特性が最も良好となるが、（Ｈ／ｄ）がさらに大きくなると伝送損失（ｄＢ）は増大している。すなわち、この測定結果から、アンテナの使用周波数帯域をカバーできる値は、１．１＜（Ｈ／ｄ）＜１．７の場合であることが分かった。ただし、シールド導体の長さ（Ｈ）が十分に長くなる場合には、対向する二つのヘリカルアンテナ素子間の距離が遠くなること、シールド導体によるシールド効果が大きくなること、アンテナ装置の外形寸法が大きくなること等の理由から、シールド導体の長さ（Ｈ）をあまり長くすると実用上の効果が得られないものと考えられる。
【００４０】
図１０は、シールド導体の直径Ｄに対するヘリカルアンテナ素子の直径ｄの比（ｄ／Ｄ）を変化させたときの伝送損失の周波数特性を示すグラフである。この測定では、シールド導体の直径Ｄとアンテナ直径ｄとの比（ｄ／Ｄ）について、（ｄ／Ｄ）＝０．４５５，０．５０５，０．５１０，０．５５５，０．６４９及び０．６９４の６通りを測定対象とした。他のパラメータについては標準パラメータに固定し、ｇ＝２ｍｍ，Ｈ＝７．５ｍｍ，ｂ＝５．０ｍｍとした。
【００４１】
図１０から明らかなとおり、（ｄ／Ｄ）が０．４５５ときには通過特性が双峰性を有し、０．４５５から大きくなると双峰性は徐々に改善され、（ｄ／Ｄ）が０．５５５のときに通過特性が最も良好となるが、（ｄ／Ｄ）がさらに大きくなると伝送損失（ｄＢ）は増大している。すなわち、この測定結果から、アンテナの使用周波数帯域をカバーできる値は、０．５０５＜（ｄ／Ｄ）＜０．６４９の場合であることが分かった。
【図面の簡単な説明】
【００４２】
【図１】図１は、本発明の好ましい実施形態に係る高周波結合装置の構成を示す斜視図である。
【図２】図２は、一対のアンテナ装置１１の構成を透過的に示す略斜視図である。
【図３】図３は、シールド導体の開口１３ａ側から見たアンテナ装置１１の平面図であり、
【図４】図４は、アンテナ装置１１の側面断面図である。
【図５】図５はアンテナ装置１１同士を近接配置した場合における当該アンテナ装置１１の入力インピーダンスの周波数特性を示すスミスチャートである
【図６】図６は、シールド導体１３の他の形状を示す斜視図である。
【図７】図７は二つのアンテナ装置の間隔ｇを変化させたときの伝送損失の周波数特性を示すグラフである。
【図８】図８は、ヘリカルアンテナ素子の直径ｄに対するその長さｂの比（ｂ／ｄ）を変化させたときの伝送損失の周波数特性を示すグラフである。
【図９】図９は、ヘリカルアンテナ素子の直径ｄに対するシールド導体の長さＨの比（Ｈ／ｄ）を変化させたときの伝送損失の周波数特性を示すグラフである。
【図１０】図１０は、シールド導体の直径Ｄに対するヘリカルアンテナ素子の直径ｄの比（ｄ／Ｄ）を変化させたときの伝送損失の周波数特性を示すグラフである。
【図１１】図１１は、ヘリカルアンテナ同士を近接させた状態を示す模式図である。
【図１２】図１２は、ヘリカルアンテナの通過特性を示すグラフであり、図１２（ａ）は特性の良好なヘリカルアンテナ単体の特性、また図１２（ｂ）はそのようなヘリカルアンテナ同士を近づけた場合の特性を示すものである。
【符号の説明】
【００４３】
１    無線通信機器
２      高周波導波路
１０    高周波結合装置
１１    アンテナ装置
１２    ヘリカルアンテナ素子
１３    シールド導体
１３ａ    開口
１４    給電点
１５    シールド導体
２１    ヘリカルアンテナ
【図１】
2006287324.tif 000003
【図２】
2006287324.tif 000004
【図３】
2006287324.tif 000005
【図４】
2006287324.tif 000006
【図５】
2006287324.tif 000007
【図６】
2006287324.tif 000008
【図７】
2006287324.tif 000009
【図８】
2006287324.tif 000010
【図９】
2006287324.tif 000011
【図１０】
2006287324.tif 000012
【図１１】
2006287324.tif 000013
【図１２】
2006287324.tif 000014